Podtech/llm-jp-corpus-v4-ja_patent huggingface dataset:
(57)【要約】【課題】ロールケーキ等ナイフを使用せず、簡単に綺麗にカットする道具を提供する。【解決手段】ケーキ本体を所望の長さに分断する為に、ケーキ用カット器具の細線部分をケーキ本体に巻き付け、つまみ部を反対方向に引っ張ることで、細線がケーキより外れケーキを分断することができる。【選択図】図５
2011189450.tif 000002
【特許請求の範囲】
【請求項１】
ケーキ本体を所望の長さに寸断する様巻き付けられる金属、ナイロン等にて形成された細線と、この細線の両端に備えられると共に、指先にて保持され、且つ前記細線を互いに反対方向に引っ張るつまみ部とで成したことを特微としたケーキ用カット器具。
【請求項２】
前記つまみ部は、細線を延長してループ状に形成したことを特微とする請求項１記載のケーキ用カット器具。
【発明の詳細な説明】
【技術分野】
【０００１】
本発明は、ロールケーキ等ナイフ等を使用せずに、簡単に分断できる道具に関するものである。
【背景技術】
【０００２】
ロールケーキ等をカットする時にナイフを使用してカットするのが一般的であるが、ナイフに生クリームが付着し、綺麗な切り口に仕上げることが難しい。
【０００３】
そこで、アーム状の両端間に糸を張ったものとして、下記文献が存在する。
而してこの文献のものにおいては、使用時にその細線の中央が撓み、その撓み代、即ちケーキが載っている台紙との間が最終まで押し切れないこととなる。
【先行技術文献】
【特許文献】
【０００４】
【特許文献１】特開２００９−１２５８２３号
【発明の概要】
【発明が解決しようとする課題】
【０００５】
ロールケーキ等をナイフ等の刃物を使用せずに、綺麗に分断できる道具を提供することを目的とする。
【課題を解決するための手段】
【０００６】
本発明は、ケーキ本体を所望の長さに寸断する様巻き付けられる金属、ナイロン等にて形成された細線と、この細線の両端に備えられると共に、指先にて保持され、且つ前記細線を互いに反対方向に引っ張るつまみ部とで成したことを特微としたケーキ用カット器具である。
【０００７】
更に本発明は、つまみ部表面に凹凸を付けることで滑り止めの効果を成すことも有効である。
【発明の効果】
【０００８】
請求項１により、ケーキ本体下部に細線を渡しケーキ本体上部でつまみ部を交差し、細線を巻きつけた状態で反対方向に引っ張ることで、ケーキ本体を所望の長さに分断することができる。
【０００９】
請求項２により、細線を延長して両端をループ状に形成し、つまみ部の役割を成すことで同様の効果をなす。
【００１０】
上記ケーキ用カット器具によれば、野外等ナイフの無い場所での使用にも適し、ケーキに限らず羊羹、カステラ、バナナ等の多様な食品も綺麗にカットすることができ、ナイフ等を洗剤で洗う手間も省ける。
【図面の簡単な説明】
【００１１】
【図１】ケーキ用カット器具の平面図
【図２】同上の設置状態正面図
【図３】同上の更に使用を進めた状態正面図
【図４】同上の断面図
【図５】同上の使用状態斜視図
【発明を実施するための形態】
【００１２】
本発明の実施形態を図面を参考に説明すると、図１はケーキ用カット器具１を示し、金属・ナイロン等にて形成された細線２と、この細線２の両端２ａに備えられると共に、指先にて保持されるつまみ部３とで成している。
而して、図４はつまみ部３を上下小片４として、細線２を挟み込んでおり、その細線２の先端は抜け止突子２ａを形成している。この抜け止突子２ａは金属線の場合は、カール状とし、ナイロンの場合は、加熱にて水玉状に形成する。
【００１３】
次に本発明のケーキ用カット器具１の使用順序を説明すると、先ず図２に示す如く、台紙Ｘの上に載せられたケーキ下部に細線を渡した状態図であり、続き図３の更に使用を進めた図により、ケーキ上部にて両手で保持されたつまみ部３を交差して、台紙Ｘの上に載せられたケーキＣに細線を巻き付け、反対方向に引っ張ることで細線がケーキより外れケーキを分断することになる。
【００１４】
図４は、細線と結合するつまみ部の断面図であり、細線がつまみ部の中芯部分を通り縁で加熱することで、ナイロンが水滴状に変更し細線が抜けることを防止する。
【００１５】
細線を結合するつまみ部に切込を設け細線を挟み巻きつける、又はつまみ部に接着しケーキ用カット器具１を成形することも可能である。
【符号の説明】
【００１６】
１    ケーキ用カット器具本体
２    細線
２ａ  抜け止突子
３    つまみ部
３ｂ  つまみ部小片
Ｃ    ロールケーキ本体
Ｘ    台紙
【図１】
2011189450.tif 000003
【図２】
2011189450.tif 000004
【図３】
2011189450.tif 000005
【図４】
2011189450.tif 000006
【図５】
2011189450.tif 000007
(57)【要約】【課題】鏡を見ながら化粧をしても、反転しているせいもあり、眉毛の高さが左右で異なって仕上がったり、自分の目では左右のバランスをとることが難かった。  本発明は、左右バランスよく化粧する助けとなる化粧時に鏡に貼り付けて使う線入りシートを提供する。【解決手段】化粧用鏡に貼るのに適当な大きさの透明のシートに縦基準線と横基準線を引き、この縦横の基準線を中心に各々上下左右に複数本の補助線を入れ、これらの補助線と補助線の交点に小さな目安孔をあけたことを特徴とする化粧時に鏡に貼り付けて使う線入りシート。【選択図】図１
2011189100.tif 000002
【特許請求の範囲】
【請求項１】
化粧用鏡に貼るのに適当な大きさの透明のシートに、シート面に直交する縦基準線と横基準線を設け、この縦横の基準線に平行に各々上下左右に複数本の補助線を設け、これらの補助線と補助線の交点に小さな目安孔をあけたことを特徴とする化粧時に鏡に貼り付けて使う線入りシート。
【発明の詳細な説明】
【技術分野】
【０００１】  本発明は、バランスよく化粧をする為の化粧時に鏡に貼り付けて使う線入りシートに関するものである。
【背景技術】
【０００２】  従来化粧をするとき鏡で眉毛の高さや、左右のバランスを見ていた。仕上がりを客観的にみるには写真を撮って確認していた。
【先行技術文献】
【０００３】
【発明の概要】
【発明が解決しようとする課題】
【０００４】  鏡を見ながら化粧をしても、反転しているせいもあり、眉毛の高さが左右で異なって仕上がったり、自分の目では左右のバランスをとることが難しかった。
本発明は、以上の問題点を解決するためになされたものである。
【課題を解決するための手段】
【０００５】  化粧用鏡に貼るのに適当な大きさの透明のシートに、シート面の中心で直交する縦基準線と横基準線を設け、この縦横の基準線に平行に各々上下左右に複数本の補助線を設ける。
これらの補助線と補助線の交点に小さな目安孔をあける。
以上の構成よりなる化粧時に鏡に貼り付けて使う線入りシート。
【発明の効果】
【０００６】  従来普通の鏡では確認しにくかった化粧のバランスを、本発明により化粧をしながら簡単に確認することができる。
【図面の簡単な説明】
【０００７】
【図１】本発明の正面図
【発明を実施するための形態】
【０００８】  以下、本発明の実施の形態を説明する。
化粧用鏡に貼るのに適当な大きさの透明のシートに、シート面の中心で直交する縦基準線（１）と横基準線（２）を設け、この縦横の基準線に平行に各々上下左右に複数本の補助線（３）を設ける。
これらの補助線（３）相互の交点に小さな目安孔（４）をあける。
本発明は以上のような構造である。
これを実際に使用するときは鏡に線入りシート（５）を貼り付け、縦基準線（１）に鼻、横基準線（２）に目が合うように映し、鏡に引かれた線と、映った顔のずれを確認して使用する。
また、本発明を直接顔に当てて使用することもできる。その場合線入りシート（５）を、縦基準線（１）に鼻、横基準線（２）に目が合うように顔に当てて、線入りシート（５）越しに鏡を見、本発明の補助線（３）と眉や目など顔の部位とのずれを確認して使用する。化粧をする際適当な場所に、目安孔（４）より眉墨などで顔に印をつけることができる。
シート全体の形状は四角状、楕円状、ハート状の物、様々に考えられる。
シートの大きさは顔全体を覆う大きさのものや、目と眉が入るくらいの小さなものもあっても良い。
縦基準線（１）及び横基準線（２）と補助線（３）とを、にはそれぞれ異なる色で色分けすることも考えられる。
【符号の説明】
【０００９】  （１）縦基準線、    （２）横基準線、    （３）補助線、    （４）目安孔
（５）線入りシート
【図１】
2011189100.tif 000003
(57)【要約】【課題】  本発明は、美容と健康ダイエットをするときに使うもので、軸にベアリングを２個設け、前記ベアリングに回転自在にローラー部を設け、前記軸の両側に握り部を設けることによって、身体全体の血行促進、ダイエット、疲労回復等のマッサージができる健康器具を提供する。【解決手段】  軸（１）にベアリング（４）を２個設け、前記ベアリング（４）にローラー部（３）を設け、前記軸（１）の両側に握り部（２）を設けたことを特徴とする健康器具。【選択図】図１
2011189097.tif 000002
【特許請求の範囲】
【請求項１】
軸（１）にベアリング（４）を２個設け、前記ベアリング（４）にローラー部（３）を設け、前記軸（１）の両側に握り部（２）を設けたことを特徴とする健康器具。
【発明の詳細な説明】
【技術分野】
【０００１】  本発明は、美容と健康ダイエットをするときに使うもので、軸にベアリングを２個設け、前記ベアリングに回転自在にローラー部を設け、前記軸の両側に握り部を設けることによって、身体全体の血行促進、ダイエット、疲労回復等のマッサージができる健康器具に関するものである。
【背景技術】
【０００２】  従来、複数個の径の異なるローラー部を軸に回転自在に取り付け、握り部を形成させた健康器具が提案されている。（特許文献１参照）。
【先行技術文献１】
【０００３】
【特許文献１】  特開平５−２９３１４４号公報
【発明の概要】
【発明が解決しようとする課題】
【０００４】  身体の部分に、複数個の径の異なるローラー部をあて、転がすことでマッサージ効果は得られるが、転がす時のローラーの径が本発明より大きく、複数個の異なるローラーは、一点にかかるテンションが小さく分散され、身体の柔らかい部分の贅肉（皮下脂肪）、または、セルライト（脂肪細胞）を潰す効果は得られなかった。
また、素材が木製であるため適度な、重み（重力）が得られなかった。
身体の部位によっては、ローラー部を取替えなくてはならなかった。
本発明はこれらの、問題点を解決するためになされたものである。
【課題を解決するための手段】
【０００５】  軸（１）にベアリング（４）を２個設け、前記ベアリング（４）にローラー部（３）を設け、前記軸（１）の両側に握り部（２）を設けたことを特徴とする健康器具。
【発明の効果】
【０００６】  一本からなるステンレス製のローラーは径が小さく、身体の一点に加わるテンションは大きく身体の使用部位にあてる。
握り部を持ち自分の力で圧力をかけながら、ゆっくりローラー部を上下させ、ローラー部を回転自在に、使いこなすことによって、従来の、マッサージ効果、血行促進効果に、本発明は、肥満に悩める方々の、腹部、ウエスト、ヒップ、太腿、ふくらはぎ等、贅肉（皮下脂肪）を柔らかくする効果、セルライト（脂肪細胞）を潰す効果がある。
よって、スリム効果、ダイエット効果が可能であることを発明した。
また、このローラーは、自分のための美容とダイエットだけではなく、寝たきりの方々の、手、足、背中、肩等、軽くローラーをかけてあげることによって疲労回復、ストレス解消、血行促進とかなりの健康増進に役立つことを確信した。
また、握り部を持ち自分で身体にローラーをかけることによってリハビリ効果も伺える。
このように、あらゆる身体部部位に適度な力でローラー部を垂直に上下にさせることによって、一点にかかるテンションも複数個の径の異なるローラー部よりも大きく、さらなる血行促進、温熱効果、マッサージ効果、ダイエット効果、リハビリ効果を得ることができる。
【図面の簡単な説明】
【０００７】
【図１】  本発明の全体の説明図である。
【図２】  本発明の要部を説明した断面図である。
【図３】  本発明の使用状態を示した説明図である。
【図４】  本発明の使用状態を示した説明図である。
【図５】  本発明の使用状態を示した説明図である。
【図６】  本発明の使用状態を示した説明図である。
【図７】  本発明の使用状態を示した説明図である。
【図８】  本発明の使用状態を示した説明図である。
【発明を実施するための形態】
【０００８】  本発明を実施するための形態を説明する。
軸（１）にベアリング（４）を２個設ける。
前記ベアリング（４）にローラー部（３）を設ける。
前記軸（１）の両側に握り部（２）を設ける。
以上のように構成したことを特徴とする健康器具である。
さらに、構造を詳しく、一実施例を、図１、図２で説明する。
中心部は、ステンレス製のローラー部である。
太さは、約１９ｍｍ、長さは、約３００ｍｍ、握り部、太さは、約２５ｍｍ、長さは、１００ｍｍ、全体の長さは、約５００ｍｍである。
中心のローラー部と握り部の間は、約５ｍｍの隙間をあけ回転時に服、および、身体の一部が挟まれないよう、隙間を設ける。
握りの部は手に馴染む形成と衛生面を考慮し、木製にする。
本発明の使用の形態を説明する。
首筋に対し、握り部を両手に持ち、垂直にローラー部を上下させる。
背中の肩甲骨と背骨の間にローラー部を平行に沿わせ握り部の片手は肩の上から、もう片手は、持った肩の反対側、ウエスト側に持ち、左右にローラー部をかける。
ウエスト部分の背面の余った贅肉を潰す気持ちで片手はウエスト面、片手は反対側背面にもち、身体に対し、垂直に、上下に、ローラー部をかける。
脚、太腿部分背面に対しローラーを垂直に当て、両手で握り部を持ち、心臓に向かって強目にローラーで持ち上げる。
下るときは軽くローラーを転がす様にリンパの流れを刺激できる。
座位の姿勢で脚を軽く立てふくらはぎを足首から膝までローラー部を垂直に上下させる。
肩の部分は片手に握り部を持ち、重みもあるローラーを左右に回転させることができる。
腕も同じ方法で利用できる。
身体の凝り、太り過ぎの部分を１本のローラーで強弱と力のかげんでテンションをかけることによって、ダイエット、疲労回復、ストレス解消、血液循環の促進に効果がある。
【符合の説明】
【０００９】  １  軸
２  握り部
３  ローラー部
４  ベアリング
【図１】
2011189097.tif 000003
【図２】
2011189097.tif 000004
【図３】
2011189097.tif 000005
【図４】
2011189097.tif 000006
【図５】
2011189097.tif 000007
【図６】
2011189097.tif 000008
【図７】
2011189097.tif 000009
【図８】
2011189097.tif 000010
(57)【要約】【課題】  パッティング練習装置で、製作費のコストダウン及びホールゲート幅、ゲート位置及びゲート直前の人工芝マットの傾斜角度、傾斜方向の設定を簡単にすることを目的とする。【解決手段】  人工芝マットは、基台板と起立板に押し込み鋲で張設し、ゲートの押し込みピンは、起立板に設置する。押し込みピン及び押し込み鋲は、簡単に抜き刺しできる形状のものである。【選択図】図１
2011189094.tif 000002
【特許請求の範囲】
【請求項１】
基台板と、該基台板に起立する板と、これらに傾斜して押し込み鋲で張設され、基台板の延長上に水平部を形成する人工芝マットと、起立板に押し込みのホールゲート用の押し込みピンと、当該人工芝マットを基台板及び起立板に敷設する押し込み鋲で構成されるパッティング練習装置。
【発明の詳細な説明】
【技術分野】
【０００１】  本発明はゴルフのパッティング練習装置に関する。
【技術】
【０００２】  従来のパッティング練習装置では、一般的にホールカップが設けられており、カップの大きさ及びカップ直前のマットの傾斜角度、傾斜方向は固定になっている。傾斜角度、傾斜方向を操作できるものもあるが構造が複雑で操作は簡単ではない。
【発明が解決しようとする課題】
【０００３】  例えば特開２００２−８５６２０のゴルフ・パッティング・チップショット練習機や特開２００６−２８９００２のパター練習台の場合、傾斜角度、傾斜方向の変更ができるが、構造が複雑で高価であり、操作も簡単ではない。
【発明の目的】
【０００４】  本発明は前記の課題を解決すべくなされたものであり、カップの大きさ及びカップ直前のマットの傾斜角度及び傾斜方向の変更を、構造が簡単で、安価で、かつ容易に操作できるパッティング練習装置を提供することを目的とする。
【課題を解決するための手段】
【０００５】  前記の目的を達成するために、本発明は、カップの大きさに相当する押し込みピンのゲート幅及びゲート位置の変更を、押し込みピンの位置の変更で行い、押し込みピン直前の人工芝マットの傾斜角度及び傾斜方向の変更をマット敷設の押し込み鋲（例えば画鋲）の位置の変更で、マットを張設して行うことにより、簡単にマットの設定ができる。
【課題を解決するための手段の利点】
【０００６】  本発明では、ホールゲート幅及びゲート位置の設定及び、ホールゲートの直前のマットの傾斜角度及び傾斜方向の設定が簡単にでき、かつ構造が簡単で安価である。
【発明の実施例】
【０００７】  本発明に係るパッティング練習装置の実施例について、添付の図面を参照して、以下詳細説明する。
【図面の簡単な説明】
【０００８】
【図１】は本発明の一実施例を示す全体図
【符号の説明】
【０００９】  図１において、符号１は人工芝マット、符号２は基台板、符号３は起立板、符号４ａ、４ｂ、４ｃは丸釘、符号５ａ、５ｂ、５ｃ、５ｄは押し込み鋲、符号６ａ、６ｂは押し込みピンである。【００１０】  押し込みピン６ａ、６ｂによるホールゲートの設定及び押し込み鋲５ａ、５ｂ，５ｃ，５ｄによる人工芝マット１の設定は以下の手順で行われる。
図１に示すように、人工芝マット１の傾斜角度、傾斜方向の設定は、係止用の押し込み鋲５ａ、５ｂ、５ｃ、５ｄの各々の押し込み位置Ｘ１、Ｘ２、Ｙ１、Ｙ２、Ｚ１、Ｚ２の寸法を変更することにより設定できる。
押し込みピン６ａ、６ｂによるホールゲートの幅、位置の設定は、２本の押し込みピン６ａ、６ｂを通常の場合は基台板２の上面に丸釘４ａ、４ｂ、４ｃで固定された起立板３の上面に刻印されたホールカップの内径と同寸法の合わせマークに合わせて、起立板３のボールの当たり面に、人工芝マット１の上より起立板３に押し込む。熟練度に合わせて、ゲート幅、位置は簡単に設定できる。
【発明の効果】
【００１１】  本発明のパッティング練習装置では、構造が簡単で安価であり、ホールゲート及びマットの傾斜などの設定を簡単にでき、初心者から熟練者まで使用できる。
【図１】
2011189094.tif 000003
(57)【要約】【課題】家庭、行楽用の容器入りのにぎり鮨にはプラスチック製の小さい醤油入れがついておりこれの使用が定着している。しかるに寿司店ではプラスチックの容器のない昔からの習慣により家庭用と同じ小皿で醤油を入れて使用している。にぎり鮨の食べ方はいろいろあり、主に鮨飯ごと指や箸で摘み逆にしで鮨ネタに醤油を付ける方法があるがネタと鮨飯が離れる場合があり大半は面倒ながらいちいち鮨ネタを箸で挟み醤油を付けてから元に戻して食しているのが現状である。この一手間を省き直接ネタに醤油を塗布できる小皿を提供し回転寿司店のピーク時の待ち時間のいらいらの減少と客の回転率の向上を図る。【解決手段】高台を底部に具え中央部がやや窪み周縁部が少し高い小皿において高台を２分割し周縁部にツマミと周縁部際に流出孔を設ける。【選択図】図１
2011189099.tif 000002
【特許請求の範囲】
【請求項１】
高台を底部に具え中央部がやや窪み周縁部が少し高い小皿において高台を２分割し周縁部にツマミと周縁部際に流出孔を設けたにぎり鮨用の付け塗り兼用小皿。
【発明の詳細な説明】
【技術分野】
【０００１】  本発明は、にぎり鮨用の付け皿の改良に関する。
【背景技術】
【０００２】家庭、行楽用の容器入りのにぎり鮨にはプラスチック製の小さい醤油入れがついておりこれの使用が定着している。しかるに寿司店ではプラスチックの容器のない昔からの習慣により家庭用と同じ小皿で醤油を入れて使用している。
にぎり鮨の食べ方はいろいろあり、主に鮨飯ごと指や箸で摘み逆にして鮨ネタに醤油を付ける方法があるがネタと鮨飯が離れる場合があり大半は面倒ながらいちいち鮨ネタを箸で挟み醤油を付けてから元に戻して食しているのが現状である。
【発明の概要】
【発明が解決しょうとする課題】
【０００３】本発明は従来の小皿と同じように醤油を入れて鮨ネタに付けることもでき、また直接鮨ネタに醤油を塗布することができる兼用小皿を提供する。
【課題を解決しようとする手段】
【０００４】本発明は上記した目的を達成するため、高台を底部に具え中央部がやや窪み周縁部が少し高い小皿において高台を２分割し周縁部にツマミと周縁部際に流出孔を設ける。
【０００５】にぎり鮨はネタと鮨飯の間にワサビが挟まれているが好みにより醤油に練りワサビを溶きより辛くする場合があるがこのワサビの量により醤油が粘り流出孔が詰まる恐れがあるのでワサビ用とその他用別に大小の流出孔を設けている。
【０００６】  小皿のツマミを持ち鮨ネタの上に流出孔を合わせ傾けて滑らすと小皿の醤油が塗布できるが傾け具合により高台が鮨ネタに触れる恐れがあるので２分割して間隔を開けている。
【発明の効果】
【０００７】本発明は上記の如く
イ  いちいち鮨ネタを箸で挟み醤油を付ける必要がないので子供や特に箸に不慣れな外人には重宝される。
ロ  小皿のツマミを持ち鮨ネタの上に流出孔を合わせ傾けて滑らすと小皿の醤油が塗布できるので必要に応じて醤油量が調整できるので塩分制限の患者には最適である。
ハ  鮨ネタと鮨飯との間に挟まれている折角のワサビが小皿の醤油で流れ落ちる事はない
ニ  にぎり鮨は鮨職人が年季を入れて食べやすく見た目も美味で美しい形状に仕上げた芸術品でこれを無惨に壊すことなくすぐに食べることができる。
ホ  回転寿司店におけるピーク時の待ち時間のいらいらの減少と客回転率の向上が図れる。
【図面の簡単な説明】
【０００８】
【図１】  本発明の斜視図
【図２】  本発明の底面斜視図
【図３】  本発明のＡ−Ａの断面図
【発明を実施するための形態】
【０００９】  以下、図面を参照して本発明の実施するための形態を説明する。
図１は本発明の斜視図で周縁部にツマミ２を設けているこのツマミは小皿を持ち上げるためで図では平面状であるが立面状でも差し支えない。３は流出孔で小穴を並列にしてネタに幅広く塗布するようにして周縁部際に設けており傾斜させて滑らすと鮨ネタの上に醤油を流出すると同時にその上を周縁部が摺動するので均一に塗布することとなる。流出孔はワサビ用とその他用の大と小とに分けて設けている。４は高台で小皿の底部に２つに分割して設けているこれは醤油の塗布する時に傾け具合により高台が鮨ネタに触れる恐れがあるので２分割して間隔を開けている。
【００１０】上記した本発明を使用する時は小皿に醤油を入れて鮨ネタを箸で挟み醤油を付けて鮨飯に戻す従来の方法と小皿のツマミを持ち鮨ネタの上に流出孔を合わせて傾けて滑らすと小皿の醤油が塗布できるのでにぎり鮨の形を崩すことなくすぐに食べられる付け塗り兼用の小皿である。
【００１１】鮨ネタの上に流出孔を合わせてから傾斜し滑らすと小皿の醤油が塗布できるがこの場合鮨ネタと流出孔との角度、圧力、滑らす速度等により好みの醤油量に調整できる。
【００１２】本発明の小皿の形状、材質等は特に限定せず塗布状態が見える透明皿にしてもよい。
【符号の説明】
【００１３】    １    小皿
２    ツマミ
３    流出孔
４    高台
【図１】
2011189099.tif 000003
【図２】
2011189099.tif 000004
【図３】
2011189099.tif 000005
(57)【要約】【課題】  大根等をすりおろすとき、手にかかる力の負担を軽くし、高齢者や力の弱い人でも楽にすりおろしができ、しかも簡易な構造で生産性もよく、メンテナンスの必要がない使いやすいすりおろし器を提供する。【解決手段】  従来とはまったく逆で、受け皿を往復移動してすりおろしをする。その受け皿を軽く動かしやすくするために、前方下がりのすりおろし器の受け皿（１）の底にコロ（２）を４カ所取りつけ、受け皿に握りやすい取っ手（３）そして脱着可能なおろしがね部（４）を設けたコロつきすりおろし器を特徴とする。【選択図】図１
2011189096.tif 000002
【特許請求の範囲】
【請求項１】
前方下がりのすりおろし器の受け皿（１）の底にコロ（２）を４カ所取りつけるともに、取っ手（３）を設け、受け皿に脱着可能なおろしがね部（４）を設けたことを特徴としたコロつきすりおろし器。
【発明の詳細な説明】
【技術分野】
【０００１】  この発明は、前方下がりのすりおろし器の受け皿の底に４カ所コロを取りつけるとともに、握りやすい取っ手を設けたすりおろし器に関するものである。
【背景技術】
【０００２】  従来、おろし面やおろし刃の構成を工夫して切れ味をよくしたおろし器があった（特許文献１参照）。
また、モーターを設けて電動で動かし楽にすりおろすものがあった（特許文献２参照）。
【特許情報文献】
【０００３】
【特許文献１】  特開  ２００３−３２５３６４号公報
【特許文献２】  特開  ２００２−２３８７８１号公報
【発明の概要】
【発明が解決しようとする課題】
【０００４】  そのため、次のような問題点があった。
（イ）従来は、大根等をすりおろすとき一方の手で受け皿あるいはおろしがねをしっかり固定させ、大根等を握った手に力を入れ往復移動させてすりおろすので、手に負担がかかり疲労して困っていた。
（ロ）電動式等はメンテナンスが必要であり、使うのにわずらわしさがあった。
本発明はこのような問題点を解決するためになされたものである。
【課題を解決するための手段】
【０００５】  前方下がりのすりおろし器の受け皿（１）の底に４カ所コロを取りつけるとともに、取っ手（３）を受け皿に設け、上部に脱着可能なおろしがね部（４）を設ける。
本発明は、以上の構成からなるコロつきすりおろし器である。
【発明の効果】
【０００６】  前方下がりのすりおろし器の受け皿の底にコロを取りつけることで、受け皿を軽く動かすことができ、受け皿を往復移動することですりおろしをするので、大根等を握った方の手は力を入れる必要がなく、楽にすりおろしができる。
高齢者や力の弱い人でも簡単に使用できる。
【図面の簡単な説明】
【０００７】
【図１】  本発明の斜視図である。
【図２】  本発明の正面図である。
【発明を実施するための形態】
【０００８】  以下本発明を実施するための形態について説明する。
受け皿を往復移動させるために、前方下がりのすりおろし器の受け皿（１）の底に４カ所コロ（２）を取りつける。
受け皿にしっかり握れる取っ手（３）を設ける。
受け皿に脱着可能なおろしがね部（４）を置く。
本発明は、以上のような構造である。
これを使用するときは、大根等をおろしがね部（４）へあて、取っ手（３）を握って受け皿（１）の方を往復移動させ、すりおろす。
【産業上の利用可能性】
【０００９】  本発明の器具の構造は非常にシンプルで、使用方法も簡単であり、高齢者や力の弱い人でも、手に負担をかけることなく楽にすりおろすことができるため、家庭用品として広く使用できる。
【符号の説明】
【００１０】  １  前方下がりの受け皿
２  コロ
３  取っ手
４  おろしがね部
【図１】
2011189096.tif 000003
【図２】
2011189096.tif 000004
(57)【要約】      （修正有）【課題】小型水力発電用水車の回転を発電機に伝動するための増速機を、安く、かつより多くの発電量を得られるよう増速機能を高めた増速設備とする。【解決手段】水車本体１の回転軸と発電機２の回転軸との間に、大きい歯車と小さい歯車とをチェ−ンで連結したものを３乃至４組設けることにより、増速率を高める。例えば水車の回転軸に歯数６０の歯車７を取りつけ、チェ−ン１３で歯数１４の歯車１０に連結する。次に自伝車の部品等を利用して歯数３４の歯車８を取りつけ、歯数１４の歯車１１にチェ−ン１４で連結する。また歯数３４の歯車９を取りつけ、これを発電機の軸に取りつけた歯数１７の歯車１２にチェ−ン１５で連結する。総合して増速率は２０余りになる。【選択図】図１
2011043158.tif 000002
【特許請求の範囲】
小型水力発電装置用増速設備
【発明の詳細な説明】
【技術分野】
【０００１】  小型水力発電事業
【背景技術】
【０００２】  小型水力発電用水車は、総べて水車の回転数を増やすために、増速機を設置して発電機の回転を増速するように、組み合わされている。
【発明が解決しょうとする課題】
【０００３】  一般的な増速機の増速率は４倍で、高価であるから、安くて而も増速率を高めるようにする。
【課題を解決するための手段】
【０００４】  一般的な水路に設置する水車発電で、水利権の取得できるのは、公益事業として、市町村の公営企業として行うことが予想されるので、事業費の軽減を図る。増速機に変わるものは、自転車のチェ−ンや歯車等を一部活用して組合せ、連結して総合した増速率を約２０から３０に高める。
【図１】
2011043158.tif 000003
【手続補正書】
【提出日】平成21年12月17日(2009.12.17)
【手続補正１】
【補正対象書類名】明細書
【補正対象項目名】全文
【補正方法】変更
【補正の内容】
【発明の詳細な説明】
【技術分野】
【０００１】  小型水力発電事業
【背景技術】
【０００２】  小型水力発電用水車は、総べて水車の回転数を増やすために、増速機を設置して発電機の回転を増速するように、組み合わされている。
【発明が解決しょうとする課題】
【０００３】  一般的な増速機の増速率は４倍で、高価であるから、安くて而も増速率を高めるようにする。
【課題を解決するための手段】
【０００４】  一般的な水路に設置する水車発電で、水利権の取得できるのは、公益事業として、市町村の公営企業として行うことが予想されるので、事業費の軽減を図る。増速機に変わるものは、自転車のチェ−ンや歯車等を一部活用すると共に、別に大小の歯車を作り組合せて連結すれば、総合した増速率は約２０倍から３０倍に高める。
【図面の簡単な説明】
【０００５】
【図１】水車の軸にとりつけた歯数６０の▲７▼、に歯数１４▲１０▼と歯数３４の▲８▼の組合わせ、歯数１４の▲１１▼と歯数３４の▲９▼の組合わせ、歯数１７の▲１２▼発電機の軸に繋ぐ。▲８▼▲９▼▲１０▼▲１１▼はそれぞれアルミ製の基板に取り付ける。歯車と歯車はチェ−ンで動かす。基板は水車の架台と発電機の架台を繋ぐワイヤロ−プで支持する。（必要によっては歯車を増加する。）
(57)【要約】      （修正有）【課題】質量を持ったおもりを複数の回転体で回転させ、その遠心力を使って、浮遊、推進する装置を提供する。【解決手段】回転体Ａの端に回転体Ｂを取り付ける。回転体Ｂの端におもりを取り付ける。回転体Ａ、Ｂを同じ速度で回転させる。回転体Ｂのおもりが回転体Ａの中心に対して、半径を変化させながら回転しだす。回転体Ｂのおもりが回転体Ａの中心より最も離れた時、その方向に最も強く遠心力が働く。【選択図】図１
2011043159.tif 000002
【特許請求の範囲】
【請求項１】
複数の回転体を使用した遠心力推進機。
回転体Ａの端に回転体Ｂを取り付ける、回転体Ｂの端におもりを取り付け、ＡとＢを同じ速度で回転させる。
この時、回転体Ｂのおもりが、回転体Ａの中心から最も離れた方向に、遠心力が最も強く働き、力が発生する。
浮遊力及び推進力を生み出す推進装置
【発明の詳細な説明】
【技術分野】
【０００１】本発明は、遠心力を利用した推進装置である。
【背景技術】
【０００２】従来、航空機に用いられた推進装置は揚力を利用していたが、揚力を得る為には滑走路や速度等が必要であった。
つまり、航空機を使用するのには、空港を建設しなくてはならなかった。
【発明の開示】
【発明が解決しようとする課題】
【０００３】この発明は航空機に必要な揚力に替わる浮遊力、推進力を生み出す推進装置である。
【課題を解決するための手段】
【０００４】回転体Ａの端に回転体Ｂを取り付ける。
回転体Ｂの端におもりを取り付ける。
回転体Ａ、Ｂを同じ速度で回転させる。
回転体Ｂのおもりが回転体Ａの中心より最も離れた時、その方向に最も強く遠心力が働く。
回転体Ａの中心から、その方向に力が発生する。
本発明は以上の構成よりなる遠心力推進機である。
【発明の効果】
【０００５】この遠心力推進機を利用して、接地抵抗の無い乗り物、運搬機、装置が作れる。
【発明を実施するための最良の形態】
【０００６】以下、本発明を実施するための最良の形態について説明する。
回転体Ａの端に回転体Ｂをとりつける、回転体Ｂの端におもりをとりつける。
回転体Ａ，Ｂを同じ速度で回転させる。
この時、回転体Ｂに取り付けたおもりが、回転体Ａの中心より最も遠く離れた時、その方向に力が発生する。
この力の方向が地面に対して垂直だった場合、上方向の力、浮力を得ることができる
又、地面に対して水平だと、前後方向への移動する力とできる。
【図面の簡単な説明】
【０００７】
【図１】本発明の斜視図である。
【図２】本発明の動作図である。
【図３】本発明における、遠心力の作用図である。
【符号の説明】
【０００８】１      回転体Ａ
２      回転体Ｂ
３      おもり
４      動力（モーター等）
【図１】
2011043159.tif 000003
【図２】
2011043159.tif 000004
【図３】
2011043159.tif 000005
(57)【要約】 【課題】素人でも壁紙を簡単にきれいに貼ることが出来る道具を提供する。【解決手段】空気に触れたら、あるいは水に漬けたら、あるいはクエン酸や重曹などをスプレーしたら、あるいはドライヤーなどで熱を加えたら接着力が発揮される接着面が外側を向いた巻紙式の壁紙とそれを取り付けるローラーとで構成され、ローラーで転がすように貼り付け、同時にローラーの端に備えたスライド式のカッターで、端部をカット・処理する機構を設ける。【選択図】図２
2011043045.tif 000002
【特許請求の範囲】
【請求項１】
巻紙状に何重にも巻いた壁紙をその外側の面を貼り付けながら回転させる事により壁紙の貼り付けを行う道具であって、回転の芯とハンドル部分を備え、貼り付け作業と同時に左右の一方または両方の端の不要部分をカットできる構造（１２）を芯あるいはハンドル部に装着でき、貼り始めと貼り終わりには、壁紙を貼り付ける面を垂直と見た場合に回転の中心を通り水平から約５７度（１７）前後の位置に横向きに移動して壁紙を切るカッター（１３）を位置させる事により角にピッタリ合う様に壁紙をカットできる機能を備えた壁紙貼り具。
【発明の詳細な説明】
【技術分野】
【０００１】
本発明は壁紙を簡単に貼り付ける道具に関する。
【背景技術】
【０００２】
ロール状に巻かれた壁紙は従来にもあるがこれらは巻紙の接着面が内側に向いているものである。
【発明の開示】
【発明が解決しようとする課題】
【０００３】
壁紙を貼り付ける際、空気が入ったり歪んだりしやすく、巾約１ｍのロールを操るのは素人には難しい。また、貼り付けた壁紙の端は角にぴったり合わせてカットしなければならないがこれも難しい作業である。本発明では素人でも簡単に貼ることが出来る道具を提供する。
【課題を解決するための手段】
【０００４】
接着面が外側を向いているローラー上の道具を考えた。現在市販されている掃除用の回転式粘着テープと類似の形状である。転がすことによって壁紙を貼り、同時に壁紙を抑えつけて接着させ、更に次々と必要な壁紙を丁度の速さで供給する事が出来る。
ローラーの端にはカッターを備え、先に貼り付けた壁紙との重なり部分に切り目を入れながら同時に貼り付ける仕組みを持たせる。
また貼り始めや貼り終わりの時に壁と床、あるいは天井の作る角でも壁紙を丁度良くカットできる様スライド式のカッターを備える。
【発明の効果】
【０００５】
１．回転式粘着テープ（通称コロコロ）を転がす要領で「貼る」と「切る」をほぼ同時進行できる。
２．貼り終わりは角まで転がしてから丁度の位置で壁紙をカットできる。
３．ロール端にセットしたカッターを使えば隣の壁紙との重なり部分を転がすと同時にカットできる。
４．まっすぐに貼りやすい。
５．少し壁紙が傷んだ時もその部分だけ貼り替えられる。
６．ロール部分の追加購入でリピーターも期待でき商品としての価値が高い。
７．ロール巾も何種類か提供することで手軽に室内リフォームが可能となる。
【発明を実施するための最良の形態】
【０００６】
本発明は図１の様に巻紙状の壁紙とそれを取り付けるローラーとで構成される。巻紙状の壁紙はあらかじめ接着剤が塗布され、その接着面は外側に向いている。接着剤は片方の端約１ｃｍを塗布しない部分として残すことにより隣接する壁紙との重なり部分の処理が便利なこともある。
【０００７】
接着剤は開封後有る程度時間が経過したら固く接着する性質のものを使用する。貼り付ける作業では接着が強すぎると作業しにくく、また巻紙状態の時には軽く接着されているのであるから、これが強すぎると不都合である。この意味で巻紙は装着するまで密封状態にあり空気も遮断されていることが望ましい。空気に触れたら、あるいは水に漬けたら、あるいはクエン酸や重曹などをスプレーしたら、あるいはドライヤーなどで熱を加えたら接着力が発揮されるというものが望ましい。
【０００８】
使い方はまずローラーを壁と天井、あるいは壁と床の作る角に置き、その角ピッタリの位置で壁紙をカットする。そのまま回転させて（図２）貼り付けていき最後に端まできたらまた角ピッタリの位置で壁紙をカットする。
【０００９】
角ピッタリの位置でカットするためにローラーの横方向にスライドするカッターを用いる。線（イ）（８）と線（ロ）（９）の長さが等しくなる角度は壁紙の残量に関係なく水平から約５７．３度である。実際には壁紙の厚みや水分などによる膨張なども考慮し角度を決定する。
水平位置（ハ）（１０）の確認だけで水平位置から約５７度（１７）のカット位置（ニ）（１１）が自動的に決定される治具を組みこむ。この位置でカッターを外側壁との隙間をスライドさせてもよいし少し巻き戻してカットしても良い。
【００１０】
図３に示す様にローラーを転がしている時には必要に応じて左右端用カッター（１２）を同時に使用し隣に貼った壁紙と新しく貼った壁紙を同時にカットする。このカットは一般に壁紙を貼る際に行われている作業の一つであり隣同士の壁紙が端と端と重なる事なく隙間なく貼るために行われる。カットされた両方の壁紙の端くれはするすると引っ張って取り除く。本発明では壁紙貼りの作業と同時にこのカットを行える仕組みを持つ事が重要である。このカッターを支える治具は（１２）の刃の台にもなるしカッター（１３）及びそのスライダーの取付治具にもなるよう設計する。
【００１１】
カッターは残量に合わせて刃の位置をスライドさせる機構を持たせる。
角仕上げ用カッター（１３）及びスライダーは貼り付け作業中は邪魔になるので使用時に芯に差し込むなどの方法で装着すると良い。またハンドル側に待避させておき使用時に角へ移動させてから処理するという方法もある。いずれにせよ様々な既存の方法で設計できる。
【図面の簡単な説明】
【００１２】
【図１】ローラー式壁紙貼り具斜視図
【図２】（ａ）回転させて壁紙を貼る様子の斜視図（ｂ）壁紙を貼付けながら既に貼った壁紙の右端と新しく貼った壁紙の左端を芯に取り取り付けたカッターで切っている様子を示す斜視図
【図３】貼り始めとは貼り終わりの角とローラーの様子を示す断面図
【図４】ローラー芯及びカッター治具の側面図
【符号の説明】
【００１３】
１．壁紙
２．壁
３．既に貼り付けられた壁紙
４．切り目
５．現在貼り付けられつつある壁紙
６．治具付きカッター
７．天井
８．線（イ）
９．線（ロ）
１０．水平位置（ハ）
１１．カット位置（ニ）
１２．左右端用カッター
１３．角仕上げ用カッター
１４．カッターのスライド向きを示す矢印
１５．ローラー芯
１６．ハンドル
１７．角度
【図１】
2011043045.tif 000003
【図２】
2011043045.tif 000004
【図３】
2011043045.tif 000005
【図４】
2011043045.tif 000006
(57)【要約】      （修正有）【課題】散水機能を門柱内に収納することにより、門柱を中心に散水することが可能する。【解決手段】門柱１は、起立する本体６は３面の側面と背面の開口部１０を設け、そこに枠とを設け、蝶番で扉９を取り付けることが出来、そこからホースリール５の収納可能とする。本体６の下部には、ベース板７がとりつけられており、そこにはベース板７に溜まった水を排出するベース板開口部８が設けられている。本体６内部には内部ベース板３が設けられており、内部ベース板３には内部の高さを固定するための内部ベース板支柱１１を備える。ベース板７及び内部ベース板３には、ボールバルブ２に配管する為の配管口が備えられており、ここに上水道配管４を通すことによりボールバルブ２より水源を得ることが可能な収納門柱。【選択図】図２
2011043034.tif 000002
【特許請求の範囲】
【請求項１】
門柱本体は直立した３面を曲げ加工により作成し、背面開口部を設ける為、背、面版、扉、天面及びベースプレートは溶接で取り付ける。
上記を持って収納門柱とする。
【請求項２】
前記収納門柱は、内部に取り外し可能な内部ベースプレートがあり、そこにボールバルブを設け、直接上水道を配管することにより、水源として機能し、ホースリールを備えることにより、散水機能を有することを特徴とする収納門柱。
【請求項３】
前記収納門柱はベースプレート上に直接ピンアンカーで固定することで、非常に短時間での設置を可能とすることを特徴とする収納門柱。
【発明の詳細な説明】
【技術分野】
【０００１】  本製品は収納門柱に関し、特に散水機能の収納に重きを置いた製品である。
【背景技術】
【０００２】  戸建住宅における散水機能の不便さは敷地内における水源の位置に起因するところが多く見受けられる。その多くは敷地内において建築物の傍なのだが、庭の奥の方や玄関そばである。
そのため、散水や洗車時にホースリールから大量のホースを伸ばさなくてはならず大変である。加えて、長くホースを伸ばすことにより、ホースがよじれる原因ともなる。
また、ブロックや石材で作る門柱は非常に重く、施工に非常に時間がかかる。
【発明の概要】
【発明が解決しようとする課題】
【０００３】  戸建て住宅に設置されている、散水栓等の位置が悪く散水や洗車等に不向きで使いにくいという事と、施工時間を大幅に短縮すること。
【課題を解決するための手段】
【０００４】  本発明は上記の課題を解決するために従来の位置から、収納門柱内部ボールバルブを設け、そこに上水道を直接配管する事で水源を移すことが可能なとなる。
あわせて、ホースリールを収納することにより散水機能を門柱の位置にうつすことを可能とする収納門柱を提供する。
また、本体の施工をピンアンカーで行う事で非常に短時間での施工を可能とすること。
【発明の効果】
【０００５】  住宅の出入り口、もしくは庭に隣接される形で設置されることの多い門柱に水源とホースリールを収納することにより、散水機能を門柱の位置に移すことができる。
そのため、散水や洗車がしやすくなる。また、ホースを長く伸ばす必要性がなくなるた  め、巻き取り時の手間が少なくて済む。【０００６】  本門柱１は、起立する本体６は３面の側面と背面の開口部１０を設け、そこに枠とを設け、蝶番で扉９を取り付けることが出来、そこからホースリール５の収納可能とする特徴を有する収納門柱である。【０００７】  本体６の下部には、ベースプレート７がとりつけられており、そこにはベースプレート７に溜まった水を排出するベースプレート開口部８、及び４か所のアンカーボルト固定穴１４を有する収納門柱。【０００８】  本体６内部には内部ベースプレート３が設けられており、内部ベースプレート３には内部の高さを固定するための内部ベースプレート支柱１１を備える、収納門柱。【０００９】  ベースプレート７及び内部ベースプレート３には、ボールバルブ２に配管する為の配管口１２が備えられており、ここに上水道配管４を通すことによりボールバルブ２より水源を得ることが可能な収納門柱。
【実施例】
【００１０】実施例に関しては図６を参照して解説する。
図６にある記号Ａ・Ｂ・Ｃはそれぞれ水源の位置を示しており、それぞれＡは庭に設置された場合、Ｂは玄関周辺に設置した場合、Ｃは門柱に設置した場合のものとする。【００１１】またそれぞれの点を中心にした、点線の円があるがこれはホースの伸びる範囲を仮定したものとする。【００１２】  Ａは庭に水源を設置した場合で、庭は広く散水できるがカースペースには遠く十分にホースが伸びたとしても、家屋の死角となり洗車は難しい。また、長く伸ばす必要があるため、巻き取りに手間がかかり、ホースを長く伸ばす為よじれる可能性もある。【００１３】  Ｂは玄関に水源を設置した場合で、カースペースや軒先などは十分に散水できるが庭の方は長くのばさなければならない。またＡの水源の方へ伸ばす場合は、家屋の死角になってしまう。Ａ同様Ｂも長く出したホースを巻き取る手間がかかり、ホースを長く伸ばす為よじれる可能性もある。【００１４】  Ｃは門柱の位置に水源を設置した場合で、庭・カースペースともに十分に散水・洗車ができるため、ホースを長く出す必要がなくなる。また、仮にカースペースがなくとも軒先に駐車し洗車することが可能である。Ａ・Ｂに比べるとホースを長く出していないのでホースを巻き取る手間が少なく、ホースを長く伸ばさないためよじれる可能性も低い。【００１５】  上記より、Ｃ門柱の位置に水源をとホースリールを設置することにより、散水・洗車時にホースを長く伸ばす手間がなくなり、巻き取り時の手間も少なくできる。またホースを長く伸ばす必要がなくなるためホースのよじれ防止も見込まれる。
【図面の簡単な説明】
【００１６】
【図１】外観図
【図２】斜視図
【図３】本体断面図
【図４】ベースプレート詳細図
【図５】内部ベースプレート詳細図
【図６】実施図
【符号の説明】
【００１７】１    門柱
２    ボールバルブ
３    内部ベースプレート
４    上水道配管
５    ホースリール
６    本体
７    ベースプレート
８    ベースプレート開口部
９    扉
１０  本体開口部
１１  内部ベースプレート支柱
１２  配管口
１３  アンカーボルト
１４  アンカーボルト固定穴
Ａ    庭水源位置
Ｂ    玄関水源位置
Ｃ    門柱水源位置
【図１】
2011043034.tif 000003
【図２】
2011043034.tif 000004
【図３】
2011043034.tif 000005
【図４】
2011043034.tif 000006
【図５】
2011043034.tif 000007
【図６】
2011043034.tif 000008
(57)【要約】【課題】プールに設置して、高齢者層が楽しみを持って水中運動に参加するためのレジャープールを提供する。【解決手段】プール（１）内に舞台（２）を設け、そこに噴水（３）を設置し、プール入り口を舞台に向かってスロープ（４）とする、芸術的な鑑賞要素を持った、劇場型噴水付レジャープールを特徴とする。【選択図】図２
2011043037.tif 000002
【特許請求の範囲】
【請求項１】
プール内に舞台を設け、噴水を設置した、劇場型噴水付プール。
【発明の詳細な説明】
【技術分野】
【０００１】  この発明は、プール内に舞台を設け、そこに噴水を設置した、劇場型レジャープールに関するものである。
【背景技術】
【０００２】  従来、レジャープールには、ウォータースライダーや流水プールなどが設置されていた。
【発明の開示】
【０００３】  これらは、次のような欠点があった。
従来、レジャープールとはファミリー向け、若者向けであり、高齢者が興味を持ち、楽しめる工夫がされていなかった。
本発明は以上のような欠点をなくすためになされたものである。
【課題を解決するための手段】
【０００４】  プール（１）内に舞台（２）を設け、そこに噴水（３）を設置する。プール入り口を舞台に向かってスロープ（４）にする。
本発明は、以上の構成よりなる、劇場型噴水付プールである。
【発明の効果】
【０００５】  プール入り口がスロープになっているため、高齢者などがプールに入りやすい。また、舞台に向かって傾斜しているため、観客席としても使用できる。音楽に合わせて噴射する噴水を設置することで全年齢の興味を引くことができる。これにより、高齢者層のプールレジャーを促し、水中運動による健康増進、噴水鑑賞によるリラクゼーションの効果を持つ。また、夜間に照明で効果を加えることにより、従来弱かった、レジャープールの夜間の利用を促し、プール経営の効率化が図れる。
【発明を実施するための最良の形態】
【０００６】  以下、本発明を実施するための最良の形態について説明する。
プール（１）内の一部に舞台（２）を設置する。
舞台（２）に音楽に合わせて噴射する、噴水（３）を設置する。
プール（１）の入り口にスロープ（４）を設置する。
本発明は以上のような構造である。
これらの使用については、円形プールの中央に設置するか、流水プール中央に設置するなどすると良い。室内プールに設置すると、より効果が上がる。
【図面の簡単な説明】
【０００７】
【図１】本発明の平面図である。
【図２】本発明の断面図である。
【符号の説明】
【０００８】  １プール
２舞台
３噴水
４スロープ
【図１】
2011043037.tif 000003
【図２】
2011043037.tif 000004
(57)【要約】【課題】母音語を使用する日本人が、子音語である英米語の発音を学習する場合には多くの困難を伴う。  本発明は、英米語の発音を着色文字と仮名文字の種類、イントネーションを下線の種類によって、ほぼ忠実に表現できる表記法を提供する。【解決手段】（１）第１ストレスを置く母音を着色し、仮名文字１字で表記する。（２）子音の発声方法の違いを仮名文字の全角あるいは半角文字で区別する。（３）イントネーションを下線の種類で表記する。【選択図】図１
2011128579.tif 000002
【特許請求の範囲】
【請求項１】
英米語の第１ストレスを置く母音に対する国際音声記号を仮名文字１字で表記し、国際音声記号・アルファベット文字あるいは仮名文字を着色する方法。
【請求項２】
英米語の子音に対する国際音声記号を、発声方法の違いにより仮名文字の種類とサイズにより表記する方法。
【請求項３】
英米語のイントネーションを、単語に対する下線の種類によって表記する方法。
【発明の詳細な説明】
【技術分野】
【０００１】  この発明は、英米語の発音方法を理解にするための、仮名文字を使った発音表記法に関するものである。
【背景技術】
【０００２】  英米語に特有な発音を、平仮名と片仮名で区別し、太字や文字サイズによって表記した例は多い（特許文献１参照）。また、アルファベット文字を着色した方法も知られている。（特許文献２参照）。
【特許文献１】  登録実用新案第３１０５０２５号
【特許文献２】  特許公開２０００−１１２３２６
【発明の開示】
【発明が解決しようとする課題】
【０００３】  英米語の発音方法について、国際音声記号の分類に基づく系統的な仮名文字表記法は見当たらず、イントネーションを簡潔に表記する方法も見当たらない。
本発明はこれらの問題点を解決するものである。
【課題を解決するための手段】
【０００４】  （１）第１ストレスを置く母音（国際音声記号）に対し仮名文字１字を割り当て、国際音声記号・アルファベット文字あるいは仮名文字を着色する方法。
（２）子音の国際音声記号に対し、発声法の分類に基づいて、それぞれに特有な仮名文字を割り当てる方法。
（３）単語のイントネーションを、単語に対する下線の種類によって表記する方法。
【発明の効果】
【０００５】  英米語の発音を、第１ストレスを置く母音の色、仮名文字の種類、下線の種類によってほぼ忠実に表記できることから、発音学習に役立つと考えられる。
【発明を実施するための最良の形態】
【０００６】  以下、本発明の実施の形態を説明する。
（１）第１ストレスを置く母音の国際音声文字に対応するアルファベット文字を着色し、
2011128579.tif 000003
全角片仮名「ア」）は赤色系、「イ」に類似する（「ｉ：」平仮名「い−」）と（「ｉ」全角片仮名「イ」）は青色系、「ウ」に類似する（「ｕ：」平仮名「う−」）と（「ｕ」全角片仮名「ウ」）は紫色系、「エ」に類似する（「ｅ」全角片仮名「エ」）は緑色系、
2011128579.tif 000004
平仮名「ら行」）は暗褐色・（「ｊ」半角片仮名「ヤ行」）は暗青色。長音は２文字を着色し、複母音は対応する文字数を着色する。
（２）もっとも特有な子音グループは平仮名を用いる。（軟口蓋音「ｋ」＝「か行」、
2011128579.tif 000005
仮名を用いる。舌先を歯茎に付ける歯茎音（「ｔ」＝「タ行」、「ｄ」＝「ダ行」、「ｎ」＝「ナ行」、「ｌ」＝「ラ」行）。唇歯音摩擦音（「ｆ」＝「フ」、「ｖ」＝「ヴ」）。
2011128579.tif 000006
「バ行」、「ｍ」＝「マ行」、「ｐ」＝「パ行」、「ｚ」＝「ジ」、「ｈ」＝「ハ行」、
2011128579.tif 000007
（３）イントネーションは単語に対する下線の種類によって表示する。平坦：実線（ｈ
2011128579.tif 000008
以上の３種類の発音表記法の１つまたは２つ、あるいは、全部を使用することにより、米英語の発音を仮名文字を用いてほぼ忠実に表現できる。
【図面の簡単な説明】
【０００７】
【図１】本発明の平面図
【符号の説明】
【０００８】  （１）縦軸は唇の開閉度（０〜１０）、横軸は唇の広狭度（０〜１０）で、各国際音声記号の基本的な口の大きさを示している。平仮名と全角片仮名は注意を要する発音である。国際音声記号の下線は上下の歯が噛み合った状態で発音することを意味する。
（２）第１ストレスを置く母音に対応する国際音声記号・アルファベット文字あるいは
2011128579.tif 000009
る「ｉ：」と「ｉ」は青色系、「ウ」に類似する「ｕ：」と「ｕ」は紫色系、「エ」に類
2011128579.tif 000010
系、半母音の「ｗ」は暗紫色・「ｒ」は暗褐色・「ｊ」は暗青色。
2011128579.tif 000011
先を歯茎に付ける歯茎音（「ｔ」、「ｄ」、「ｎ」、「ｌ」）、唇歯音摩擦音（「ｆ」、
2011128579.tif 000012
【図１】
2011128579.tif 000013